(57)【特許請求の範囲】
【請求項１】
筐体と、前記筐体内に設けられたレーザ光源と、前記レーザ光源を駆動するレーザ駆動部と、前記筐体に設けられた開閉部材と、前記開閉部材が開状態のときに前記レーザ駆動部の電源を遮断し閉状態のときに前記電源を導通するスイッチと、を有し、前記レーザ光源を用いて画像を形成する画像形成装置であって、
前記スイッチを経由した第１の信号を周期的に監視するポーリング検出により前記開閉部材の開閉状態を示す第１の開閉信号を生成する第１の開閉信号生成部と、
前記スイッチを経由して前記レーザ駆動部の電源として供給される第２の信号の遮断をラッチし、第２の開閉信号を生成する第２の開閉信号生成部と、
前記第１の開閉信号と前記第２の開閉信号の少なくとも一方に基づいて前記電源の異常を検出する電源異常検出部と、を有し、
前記第２の開閉信号は、初期状態では前記開閉部材が閉状態であることを示し、初期化命令により初期状態に戻せる信号であり、
前記電源異常検出部は、画像形成中の期間は前記第２の開閉信号のみに基づいて前記電源の異常を検出し、前記画像形成中以外の期間は前記第１の開閉信号及び前記第２の開閉信号に基づいて前記電源の異常を検出することを特徴とする画像形成装置。
【請求項２】
前記第１の開閉信号生成部は、前記第１の開閉信号が閉状態を示しているときに、前記ポーリング検出により、前記第１の信号が複数回連続して開状態を示すことを検出した場合に、前記第１の開閉信号のステータスを開状態を示すように切り替えることを特徴とする請求項１に記載の画像形成装置。
【請求項３】
前記電源異常検出部は、前記画像形成中以外の期間において、前記第１の開閉信号と前記第２の開閉信号とを比較し、両者のステータス不一致があった場合は、一定時間経過後に再度前記比較を行うことを特徴とする請求項１又は２に記載の画像形成装置。
【請求項４】
前記電源異常検出部は、前記比較の結果、複数回のステータス不一致を検知した場合に前記電源の異常を確定することを特徴とする請求項３に記載の画像形成装置。
【請求項５】
前記電源異常検出部は、前記電源の異常を確定した場合に故障通知を行うことを特徴とする請求項４に記載の画像形成装置。
【請求項６】
前記画像形成中以外とは、前記電源が導通した直後から前記レーザ光源が点灯する前、若しくは前記開閉部材が閉状態であり且つ前記レーザ光源が消灯している期間であることを特徴とする請求項１乃至５の何れか一項に記載の画像形成装置。
【請求項７】
筐体と、前記筐体内に設けられたレーザ光源と、前記レーザ光源を駆動するレーザ駆動部と、前記筐体に設けられた開閉部材と、前記開閉部材が開状態のときに前記レーザ駆動部の電源を遮断し閉状態のときに前記電源を導通するスイッチと、を有し、前記レーザ光源を用いて画像を形成する画像形成装置において、前記電源の異常を検出する電源異常検出方法であって、
前記スイッチを経由した第１の信号を周期的に監視するポーリング検出により前記開閉部材の開閉状態を示す第１の開閉信号を生成する第１の開閉信号生成ステップと、
前記スイッチを経由して前記レーザ駆動部の電源として供給される第２の信号の遮断をラッチし、第２の開閉信号を生成する第２の開閉信号生成ステップと、
前記第１の開閉信号と前記第２の開閉信号の少なくとも一方に基づいて前記電源の異常を検出する電源異常検出ステップと、を有し、
前記第２の開閉信号は、初期状態では前記開閉部材が閉状態であることを示し、初期化命令により初期状態に戻せる信号であり、
前記電源異常検出ステップでは、画像形成中の期間は前記第２の開閉信号のみに基づいて前記電源の異常を検出し、前記画像形成中以外の期間は前記第１の開閉信号及び前記第２の開閉信号に基づいて前記電源の異常を検出することを特徴とする電源異常検出方法。
【発明の詳細な説明】
【技術分野】
【０００１】
本発明は、画像形成装置、及び電源異常検出方法に関する。
【背景技術】
【０００２】
従来より、レーザ光源を用いて画像を形成する画像形成装置が知られている。このような画像形成装置には、筐体に開閉可能な開閉部材が設けられており、開閉部材の開閉状態を監視しながら画像形成装置の制御が行われている。
【０００３】
例えば、レーザ光源、レーザ駆動部、スキャナモータ等を備えた画像形成装置において、開閉部材の開閉に応じて、レーザ光源の電源監視制御を切り替える構成が開示されている（例えば、特許文献１参照）。
【発明の概要】
【発明が解決しようとする課題】
【０００４】
しかしながら、従来の画像形成装置では、制御の方法によっては、レーザ光源の電源異常等による異常画像が発生したり、不要な動作停止が発生したりする場合があった。
【０００５】
本発明は、上記の点に鑑みてなされたものであり、異常画像の発生と不要な動作停止の発生を防止することが可能な画像形成装置を提供することを課題とする。
【課題を解決するための手段】
【０００６】
本画像形成装置は、筐体と、前記筐体内に設けられたレーザ光源と、前記レーザ光源を駆動するレーザ駆動部と、前記筐体に設けられた開閉部材と、前記開閉部材が開状態のときに前記レーザ駆動部の電源を遮断し閉状態のときに前記電源を導通するスイッチと、を有し、前記レーザ光源を用いて画像を形成する画像形成装置であって、前記スイッチを経由した第１の信号を周期的に監視するポーリング検出により前記開閉部材の開閉状態を示す第１の開閉信号を生成する第１の開閉信号生成部と、前記スイッチを経由して前記レーザ駆動部の電源として供給される第２の信号の遮断をラッチし、第２の開閉信号を生成する第２の開閉信号生成部と、前記第１の開閉信号と前記第２の開閉信号の少なくとも一方に基づいて前記電源の異常を検出する電源異常検出部と、を有し、前記第２の開閉信号は、初期状態では前記開閉部材が閉状態であることを示し、初期化命令により初期状態に戻せる信号であり、前記電源異常検出部は、画像形成中の期間は前記第２の開閉信号のみに基づいて前記電源の異常を検出し、前記画像形成中以外の期間は前記第１の開閉信号及び前記第２の開閉信号に基づいて前記電源の異常を検出することを要件とする。
【発明の効果】
【０００７】
開示の技術によれば、異常画像の発生と不要な動作停止の発生を防止することが可能な画像形成装置を提供できる。
【図面の簡単な説明】
【０００８】
【図１】本実施の形態に係る画像形成装置を例示する斜視図である。
【図２】本実施の形態に係る画像形成装置のドアが開いている状態を例示する斜視図である。
【図３】ドアが開いている状態と閉じている状態を例示する部分断面図である。
【図４】ドア開閉を検知する信号について説明する図である。
【図５】スイッチを閉じる際に発生するチャタリングについて説明する図である。
【図６】画像形成中以外の期間のドア開閉検知方法について説明する図（その１）である。
【図７】画像形成中以外の期間のドア開閉検知の方法について説明するフローチャートである。
【図８】画像形成中以外の期間のドア開閉検知方法について説明する図（その２）である。
【図９】画像形成中以外の期間のドア開閉検知方法について説明する図（その３）である。
【図１０】画像形成中の期間のドア開閉検知の方法について説明するフローチャートである。
【発明を実施するための形態】
【０００９】
以下、図面を参照して発明を実施するための形態について説明する。各図面において、同一構成部分には同一符号を付し、重複した説明を省略する場合がある。
【００１０】
［画像形成装置の説明］
図１は、本実施の形態に係る画像形成装置を例示する斜視図である。図１に示すように、画像形成装置１は、筐体１１と、ドア１２と、給紙トレイ１３と、排紙トレイ１４とを有している。画像形成装置１は、例えば、感光体、書き込みユニツト、現像ユニツト、定着ユニツト等を内部に備えており、ポリゴンミラーにより走査したレーザ光を感光体に照射し、電子写真プロセスにより画像を形成する装置である。但し、図１は画像形成装置の一例を示したものであり、図１に示す外観や構造に限定されるものではない。
【００１１】
図２は、本実施の形態に係る画像形成装置のドアが開いている状態を例示する斜視図である。図２に示すように、筐体１１には開閉部材であるドア１２が設けられている。ドア１２は、メンテナンス等のために開閉可能に構成されている。ドア１２には、筐体１１側に突起する押圧部材１５が設けられている。
【００１２】
図３は、ドアが開いている状態と閉じている状態を例示する部分断面図である。図３に示すように、筐体１１の内部にはドア１２の開閉を検知するスイッチ２１が設けられている。スイッチ２１は、所謂安全スイッチである。
【００１３】
図３（ａ）に示すように、ドア１２が閉状態のときには、押圧部材１５によりスイッチ２１が押されて導通（ＯＮ）状態となっている。又、図３（ｂ）に示すように、ドア１２が開状態のときには、押圧部材１５によりスイッチ２１が押されないためスイッチ２１が遮断（ＯＦＦ）状態となる。
【００１４】
図４は、ドア開閉を検知する信号について説明する図である。画像形成装置１の筐体１１内に設けられた書き込みユニツトは、レーザ光源２４と、レーザ光源２４を駆動するレーザ駆動部２５と、レーザ駆動部２５を制御するレーザ制御部２６とを有している。レーザ光源２４はレーザ駆動部２５により駆動され発光する。レーザ制御部２６は、レーザ光源２４が発光する際の発光の許可や発光量の制御をレーザ駆動部２５に対して行う。
【００１５】
図４に示すように、例えば、画像形成装置１の内部には＋２４Ｖの電源が備えられ、＋２４Ｖの電源ラインにスイッチ２１が挿入されている。ここでは、スイッチ２１を経由した後の＋２４Ｖを『＋２４ＶＳ』と称する。
【００１６】
＋２４ＶＳを分圧して＋３．３ＶＳが生成され、ドア１２の開閉状態を検知する信号（以降、第１の信号Ａとする）として本体制御部２２に供給される。本体制御部２２は、第１の信号Ａを監視することにより、スイッチ２１のＯＦＦ／ＯＮを検知することができる。
【００１７】
図４では、本体制御部２２が＋２４ＶＳを分圧した＋３．３ＶＳを監視しているが、本体制御部２２が＋２４ＶＳを直接監視する構成としてもよいし、＋３．３ＶＳ以外の電圧に変換してから監視する構成としてもよい。なお、本体制御部２２には、スイッチ２１を経由する前の電源が供給されており、スイッチ２１のＯＦＦ／ＯＮにかかわらず動作することができる。
【００１８】
＋２４ＶＳは、ＤＣ−ＤＣコンバータ２３により＋５Ｖに降圧され、レーザ駆動部２５の電源として供給される。ここでは、レーザ駆動部２５の電源である＋５Ｖを『＋５ＶＳ』と称する。なお、レーザ駆動部２５の電源の電圧は＋５Ｖ以外であってもよい。
【００１９】
＋５ＶＳは、ドア１２の開閉状態を検知する信号（以降、第２の信号Ｂとする）としてレーザ制御部２６にも供給される。レーザ制御部２６は、第２の信号Ｂを監視することにより、スイッチ２１のＯＦＦ／ＯＮを検知することができる。なお、レーザ制御部２６には、スイッチ２１を経由する前の電源が供給されており、レーザ制御部２６はスイッチ２１のＯＦＦ／ＯＮにかかわらず動作することができる。
【００２０】
本体制御部２２による第１の信号Ａの検知結果（以降、ドア開閉信号Ｃとする）、及び、レーザ制御部２６による第２の信号Ｂの検知結果（以降、ドア開閉ラッチ信号Ｄとする）は、電源異常検出部２７に送られる。電源異常検出部２７は、ドア開閉信号Ｃとドア開閉ラッチ信号Ｄの少なくとも一方に基づいてレーザ駆動部２５の電源（＋５ＶＳ）の異常を検出する。電源異常の具体的な検出方法については、図６以降を参照しながら後述する。
【００２１】
なお、本体制御部２２、レーザ制御部２６、及び電源異常検出部２７は、例えば、ＣＰＵ（Central Processing Unit）、ＲＯＭ（Read Only Memory）、メインメモリ等により構成することができる。この場合、本体制御部２２、レーザ制御部２６、及び電源異常検出部２７の各種機能は、ＲＯＭ等に記録されたプログラムがメインメモリに読み出されてＣＰＵにより実行されることによって実現できる。但し、本体制御部２２、レーザ制御部２６、及び電源異常検出部２７は、ハードウェアとして一体化されていてもよいし、別体であってもよい。
【００２２】
図５は、スイッチを閉じる際に発生するチャタリングについて説明する図である。図５に示すように、ドア１２の開閉によってスイッチ２１がＯＦＦ／ＯＮするが、その際に＋２４ＶＳと、それを分圧した第１の信号Ａ（＋３．３ＶＳ）の立ち上がりに数十ｍｓ程度のチャタリングが発生する。従って、チャタリングによる誤検出を防止することが必要である。後述のポーリング検出により、チャタリングによる誤検出を防止することができる。
【００２３】
［画像形成中（印刷中）以外の期間のドア開閉検知方法］
図６は、画像形成中（印刷中）以外の期間のドア開閉検知方法について説明する図である。ここで、画像形成中以外の期間とは、レーザ駆動部２５の電源＋５ＶＳが導通した直後からレーザ光源２４が点灯する前、若しくはドア１２が閉状態であり且つレーザ光源２４が消灯している期間である。図６の場合には、０ｍｓから５００ｍｓまでの期間は、画像形成中以外の期間に含まれる。
【００２４】
図６に示すように、ドア１２が開状態から閉状態に移行すると、本体制御部２２はスイッチ２１のチャタリングによる誤検出の防止等を目的として、第１の信号Ａを周期的に監視するポーリング検出によりドア１２の開閉状態を示すドア開閉信号Ｃを生成する。すなわち、本体制御部２２は、ドア開閉信号Ｃが開状態を示しているときに、ポーリング検出により、第１の信号Ａが複数回連続して閉状態を示すことを検出した場合に、ドア開閉信号Ｃのステータスを閉状態を示すように切り替える。閉状態から開状態に移行する場合も同様である。
【００２５】
例えば、本体制御部２２は、１０ｍｓ置きにポーリングを行い、第１の信号Ａが５０回連続でＨであれば、ドア１２が閉じている状態を確定し、ドア開閉信号ＣをＬからＨに切り替える。なお、ドア１２が閉じている状態を確定するまでの期間（ドア開閉信号ＣがＬである期間）は、安全のため、画像形成装置１の動作は行わない。
【００２６】
ここで、本体制御部２２は本発明に係る第１の開閉信号生成部の代表的な一例であり、ドア開閉信号Ｃは本発明に係る第１の開閉信号の代表的な一例である。
【００２７】
又、ドア１２が開状態から閉状態になると、第２の信号Ｂ（レーザ駆動部２５の電源＋５ＶＳ）が立ち上がる。レーザ制御部２６は、第２の信号Ｂからドア開閉ラッチ信号Ｄを生成する。ドア開閉ラッチ信号Ｄは、初期状態ではドア１２が閉状態（Ｈ）であることを示し、ドア１２が閉状態から開状態になった際（レーザ駆動部２５の電源＋５ＶＳが遮断された際）には瞬時にＨからＬに切り替わってその状態を保持する。そして、ドア開閉ラッチ信号Ｄは、電源異常検出部２７からの初期化命令により初期状態（Ｈ）に戻る。なお、図６中のＴは、レーザ駆動部２５の起動時間である（以降、起動時間Ｔとする）。
【００２８】
ここで、レーザ制御部２６は本発明に係る第２の開閉信号生成部の代表的な一例であり、ドア開閉ラッチ信号Ｄは本発明に係る第２の開閉信号の代表的な一例である。
【００２９】
図７は、画像形成中（印刷中）以外の期間のドア開閉検知の方法について説明するフローチャートである。電源異常検出部２７は、画像形成中（印刷中）以外の期間は、ドア開閉信号Ｃ及びドア開閉ラッチ信号Ｄに基づいて、レーザ駆動部２５の電源＋５ＶＳの異常を検出する。
【００３０】
ここでは、ドア１２が閉じており画像形成（印刷）が行われていない場合を考える。このとき、初期状態ではドア開閉信号Ｃ及びドア開閉ラッチ信号Ｄが共にＨであるとする。
【００３１】
まず、ステップＳ１０１において、本体制御部２２は、スイッチ２１を経由した第１の信号Ａを周期的に監視するポーリング検出によりドア１２の開閉状態を示すドア開閉信号Ｃを生成する。そして、電源異常検出部２７は、ドア開閉信号ＣがＬになったか否かを監視し、監視結果に基づいて、ドア１２が開いたか否か（レーザ駆動部２５の電源＋５ＶＳが遮断されたか否か）を判断する。
【００３２】
ステップＳ１０１において電源異常検出部２７がドア１２が閉じていると判断した場合（Ｎｏの場合）には、ステップＳ１０１の処理を繰り返す。電源異常検出部２７がドア１２が開いたと判断した場合（Ｙｅｓの場合）には、ステップＳ１０２に移行する。
【００３３】
次に、ステップＳ１０２において、レーザ制御部２６は、スイッチ２１を経由した第２の信号Ｂの遮断をラッチし、ドア開閉ラッチ信号Ｄを生成する。そして、電源異常検出部２７は、ドア開閉ラッチ信号ＤがＬになったか否かを監視し、監視結果に基づいて、ドア１２が開いたか否か（レーザ駆動部２５の電源＋５ＶＳが遮断されたか否か）を判断する。
【００３４】
ステップＳ１０２において電源異常検出部２７がドア１２が閉じていると判断した場合（Ｎｏの場合）には、ステップＳ１０２の処理を繰り返す。電源異常検出部２７がドア１２が開いたと判断した場合（Ｙｅｓの場合）には、ステップＳ１０３に移行する。
【００３５】
次に、ステップＳ１０３において、電源異常検出部２７は、ドア１２が開いてレーザ駆動部２５の電源＋５ＶＳが遮断されたため、電源異常であることを検出する。そして、ステップＳ１０４において、電源異常検出部２７は、例えば、画像形成装置１の表示部に警告メッセージを表示し、動作を停止する（例えば、入力スイッチ等の受付を停止する）。
【００３６】
このように、画像形成中（印刷中）以外の期間では、電源異常検出部２７は、ドア開閉信号Ｃ及びドア開閉ラッチ信号Ｄに基づいて（ドア開閉信号Ｃ及びドア開閉ラッチ信号Ｄが共にＬである場合に）ドア１２が開いたことを検知し、動作停止等を行う。ここで、ドア開閉信号Ｃはポーリング検出により生成した信号であり、更にドア開閉ラッチ信号Ｄも監視しているため、より確実にドア１２が開いたことを検知できる。すなわち、より確実に、レーザ駆動部２５の電源＋５ＶＳの状態が異常であることを検知できる。その結果、不要な動作停止の発生等を防止することができる。
【００３７】
ところで、図８に示すように、ドア開閉信号Ｃ及びドア開閉ラッチ信号Ｄのステータスが不一致となるハード的な過渡状態が発生する場合がある。図８では、一例として、ドア１２に対して７０ｍｓ以下程度の瞬間的な開閉動作が行われた場合（半ドア状態になった場合）を示している。この場合、例えば、第１の信号Ａは落ちきらず、第２の信号Ｂのみ落ちてしまい、図８のような状態が発生することが考えられる。
【００３８】
図８の場合、ｔ１ｍｓの時点で、電源異常検出部２７は、ドア開閉信号Ｃに基づいてドアが閉状態であることを検出する。これと同時に、ｔ１ｍｓの時点で、電源異常検出部２７は、ドア開閉ラッチ信号Ｄに基づいてドアが開状態になったことを検出する（ステータス不一致）。このとき、レーザ駆動部２５の起動時間Ｔ以上の一定時間経過後（ウェイト後）に、例えばｔ２ｍｓの時点で、ドア開閉信号Ｃ及びドア開閉ラッチ信号Ｄのステータスが一致すれば、画像形成動作（レーザ光源２４の点灯等）に移行することが可能である。
【００３９】
しかしながら、ｔ１ｍｓからｔ２ｍｓまでの間にステータスの不一致があったので、ドア１２の瞬間的な開閉動作であり電源異常でないにもかかわらず、電源異常検出部２７は、画像形成装置１内の所定部に対して電源異常の故障通知を誤って出してしまう。ここで、電源異常の故障通知とは、本来は、本体制御部２２の降圧回路の故障や、電源供給経路の断線等により、ドア開閉信号Ｃ及びドア開閉ラッチ信号Ｄのステータスが不一致となった場合に出す通知である。
【００４０】
このような誤通知を防止するためには、図９のようにすることが好ましい。図９では、ドア開閉信号Ｃとドア開閉ラッチ信号Ｄとを比較し、両者にステータス不一致があった場合は、一定時間経過後（ウェイト後）に再度比較（リトライ動作）を行う。
【００４１】
具体的には、図９では、図８の場合と同様に、ｔ１ｍｓの時点で、ドア開閉信号Ｃ及びドア開閉ラッチ信号Ｄのステータスが不一致である。しかし、レーザ駆動部２５の起動時間Ｔ以上の一定時間経過後（ウェイト後）に、例えばｔ２ｍｓの時点で、電源異常検知のリトライ動作を行う。図９では、ｔ２ｍｓの時点で、ドア開閉信号Ｃ及びドア開閉ラッチ信号Ｄのステータスが一致しており、その後のリトライ動作でもドア開閉信号Ｃ及びドア開閉ラッチ信号Ｄのステータスが一致すれば、画像形成動作に移行することが可能である。
【００４２】
図９では、最初にステータス不一致があった場合でも、リトライ動作でステータス不一致がなければ電源異常の故障通知は行わない。仮に、リトライ動作により、複数回のステータス不一致を検知した場合には、レーザ駆動部２５の電源＋５ＶＳの異常を確定し、電源異常の故障通知を行う。なお、リトライの回数、及び何回のステータス不一致を検知した場合に電源異常の故障通知を行うかは、適宜決定することができる。
【００４３】
［画像形成中（印刷中）の期間のドア開閉検知方法］
図１０は、画像形成中（印刷中）の期間のドア開閉検知の方法について説明するフローチャートである。電源異常検出部２７は、画像形成中（印刷中）の期間は、ドア開閉ラッチ信号Ｄのみに基づいて、レーザ駆動部２５の電源＋５ＶＳの異常を検出する。
【００４４】
ここでは、ドア１２が閉じており画像形成（印刷）が開始された場合を考える。このとき、初期状態ではドア開閉ラッチ信号ＤがＨであるとする。
【００４５】
まず、ステップＳ２０１において、レーザ制御部２６は、スイッチ２１を経由した第２の信号Ｂの遮断をラッチし、ドア開閉ラッチ信号Ｄを生成する。そして、電源異常検出部２７は、ドア開閉ラッチ信号ＤがＬになったか否かを監視し、監視結果に基づいて、ドア１２が開いたか否か（レーザ駆動部２５の電源＋５ＶＳが遮断されたか否か）を判断する。
【００４６】
ステップＳ２０１において電源異常検出部２７がドア１２が閉じていると判断した場合（Ｎｏの場合）には、ステップＳ２０１の処理を繰り返す。電源異常検出部２７がドア１２が開いたと判断した場合（Ｙｅｓの場合）には、ステップＳ２０２に移行する。
【００４７】
次に、ステップＳ２０２において、電源異常検出部２７は、ドア１２が開いてレーザ駆動部２５の電源＋５ＶＳが遮断されたため、電源異常であることを検出する。そして、ステップＳ２０３において、電源異常検出部２７は、画像形成装置１の動作を停止する。ここでの動作の停止は印刷動作の停止を意味し、具体的には、レーザ光源の消灯や、定着動作の停止、各種駆動モータの停止等である。
【００４８】
このように、ドア１２が開いた際には、電源異常検出部２７は、ドア開閉ラッチ信号Ｄの監視結果に基づいてドア１２が開いたことを瞬時に検知し、画像形成装置１の動作を停止させる。これにより、ドア１２が開いた際のレーザ光源の不要な発光を防止できると共に、画像形成中に電源が供給されず異常な画像が生成されることを防止できる。
【００４９】
以上のように、画像形成装置１では、レーザ駆動部２５の電源＋５ＶＳの電源の異常を、画像形成中の期間にはラッチ検出により瞬時に検出することで、異常画像の発生を確実に防止することができる。又、レーザ駆動部２５の電源＋５ＶＳの電源の異常を、画像形成中以外の期間にはポーリング検出及びラッチ検出を併用することで、より正確に検出し、不要な動作停止の発生等を防止することができる。
【００５０】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００５１】
例えば、実施の形態の説明中でロジックの説明に用いたＬとＨは、反対の論理としてもよい。
【符号の説明】
【００５２】
１  画像形成装置
１１  筐体
１２  ドア
１３  給紙トレイ
１４  排紙トレイ
１５  押圧部材
２１  スイッチ
２２  本体制御部
２３  ＤＣ−ＤＣコンバータ
２４  レーザ光源
２５  レーザ駆動部
２６  レーザ制御部
２７  電源異常検出部
【先行技術文献】
【特許文献】
【００５３】
【特許文献１】特開２０００−２６３８４４号公報
【図１】
0006575259.tif 000002
【図２】
0006575259.tif 000003
【図３】
0006575259.tif 000004
【図４】
0006575259.tif 000005
【図５】
0006575259.tif 000006
【図６】
0006575259.tif 000007
【図７】
0006575259.tif 000008
【図８】
0006575259.tif 000009
【図９】
0006575259.tif 000010
【図１０】
0006575259.tif 000011